Podtech/llm-jp-corpus-v4-ja_patent huggingface dataset:
(57)【要約】      （修正有）【課題】既に知られている床面を掃除する室内用のスリッパは、接着材を設けたほこり吸着用シートをスリッパ裏面に貼り付けて使用されるので、ほこりで汚れたほこり吸着用シートを交換する場合は、接着材を有するほこり吸着用シートが使い捨てされることとなる。よって、接着材が無駄になるばかりでなく、ほこり吸着用シートもコスト高になるなどの問題点を解決した室内用スリッパ及び室内用スリッパの裏面に貼り付けて使用する床面掃除具を提供する。【解決手段】床面を掃除する室内用スリッパ１の、床面と面接触する裏面２にほこり吸着シート３を着脱するためのシート係止部４を設ける。また、室内用スリッパの裏面に貼り付けて使用する板状の可撓性基板１１の、前記裏面２に貼着する接着面１１ａに粘着テープ１５を設け、一方、接着面１１ａと反対側の面１２にほこり吸着シートを着脱するためのシート係止部１４を設ける。【選択図】図１
0003113478.tif 000002
【実用新案登録請求の範囲】
【請求項１】
床面を掃除する室内用スリッパであって、床面と面接触する裏面にほこり吸着シートを着脱するための、ほこり吸着シートを直接係止するシート係止部を有することを特徴とする室内用スリッパ。
【請求項２】
室内用スリッパの、床面と面接触する裏面に貼付けて使用する板状の可撓性を有する床面掃除具であって、前記裏面に貼着する接着面を有し、前記裏面と反対側の面にほこり吸着シートを着脱するためのシート係止部を有することを特徴とする、室内用スリッパに貼付する床面掃除具。
【請求項３】
請求項２記載の室内用スリッパに貼付する床面掃除具において、前記接着面に粘着テープを有することを特徴とする、室内用スリッパに貼付する床面掃除具。
【考案の詳細な説明】
【技術分野】
【０００１】
本考案は、床面を掃除する室内用スリッパ及び室内用スリッパの裏面に貼り付けて使用する床面掃除具に関する。
【背景技術】
【０００２】
室内用スリッパの裏面にほこり吸着用のシートを貼り付け、そのスリッパを履いて床面を歩くことによって床面を掃除する室内用スリッパが知られている。
【０００３】
【特許文献１】特開平９−３２２８０１号公報
【特許文献２】実開昭５７−５２８０１号公報
【考案の開示】
【考案が解決しようとする課題】
【０００４】
床面を掃除する、既に知られている室内用のスリッパは、マジックテープ（登録商標）や粘着シートなどの接着材を設けたほこり吸着用シートをスリッパ裏面に貼り付けて使用される。したがって、スリッパを使っているうちに付着したほこりで汚れたほこり吸着用シートを交換する場合は、接着材を有するほこり吸着用シートが使い捨てされることとなるので、接着材が無駄になるばかりでなく、ほこり吸着用シートもコスト高になるなどの問題点がある。
【０００５】
本考案は、従来の床面を掃除する室内用スリッパの問題点を解決した室内用スリッパ及び通常の室内用スリッパの裏面に貼り付けて使用する床面掃除具を提供することを目的とする。
【課題を解決するための手段】
【０００６】
請求項１の考案は、床面を掃除する室内用スリッパであって、床面と面接触する裏面にほこり吸着シートを着脱するための、ほこり吸着シートを直接係止するシート係止部を有することを特徴とする。
請求項２の考案は、室内用スリッパの、床面と面接触する裏面に貼り付けて使用する板状の可撓性を有する床面掃除具であって、前記裏面に貼付する接着面を有し、前記裏面と反対側の面にほこり吸着シートを着脱するためのシート係止部を有することを特徴とする。
請求項３の考案は、請求項２記載の室内用スリッパに貼り付けて使用する床面掃除具において、前記接着面に粘着テープを有することを特徴とする。
【考案の効果】
【０００７】
スリッパに裏面に取り付けるための接着材を付設していないほこり吸着用シートを使用することができる本考案によれば、汚れたほこり吸着用シートの交換は、ほこり吸着用シートのみでこと足りるので、床面を掃除する室内用スリッパの使用が経済的であり、請求項２に係る考案においては、床面を掃除する機能を備えていない通常のスリッパを床面掃除用のスリッパとして利用することができる効果を奏する。
【考案を実施するための最良の形態】
【０００８】
室内用のスリッパの側面を示す図１及び同スリッパの裏面を示す図２において、スリッパ１の裏面２の周囲には、ほこり吸着用シート３を着脱するためのシート係止部としてのシート係止帯４が設けられている。
シート係止帯４は、実施例では、一対のテープからなる株式会社クラレのマジックテープ（登録商標）のフック繊維面を有する方のテープであって、スリッパ１の裏面２に接着剤で固着される。
【０００９】
ほこり吸着用シート３は、長方形の板に長い柄の付いた株式会社花王のクイックルワイパー（登録商標）と称する床拭き具に取り付けて使用するミクロ繊維からなる「やわらか凹凸シート」（商品名）である。
スリッパ１の裏面２と略同じ形状のほこり吸着用シート３をスリッパ１の裏面２に押し付けると、シート係止帯４の繊維の先端のフックにほこり吸着用シート３が絡み付いてスリッパの裏面２に貼り付く。このほこり吸着用シート付きのスリッパを履いて床面を歩くことにより、細かいほこりや髪の毛が床面から取り除かれる。汚れたほこり吸着用シート３は、スリッパから引き剥がすことにより簡単に交換することができる。
【００１０】
図３は、裏面にシート係止帯を有していない通常の室内用スリッパを掃除用のスリッパとして使用するための床面掃除具を示す。
床面掃除具１０は、可撓性の板状の基板１１と、この基板１１の、室内用スリッパの裏面に貼り付ける接着面１１ａに設けた粘着テープ１５と、接着面１１ａと反対側の面１２に設けたほこり吸着シートを着脱するためのシート係止部としてのシート係止帯１４とからなり、粘着テープ１５により接着面１１ａを室内用スリッパの裏面に貼着して使用する。シート係止帯１４の形態は、図２に示すそれと同様である。可撓性の基板１１はゴム板や合成樹脂板あるいはフェルト板からなる。
【図面の簡単な説明】
【００１１】
【図１】本考案の一実施例を示す室内用スリッパの側面図である。
【図２】図１の底面図である。
【図３】本考案の別の実施例を示す床面掃除具の側面図である。
【図４】図３の平面図である。
【符号の説明】
【００１２】
１          スリッパ
２          スリッパの裏面
３          ほこり吸着用シート
４、１４    シート係止部
１０        床面掃除具
１１        基板
１１ａ      接着面
１２        基板の裏面
１５        粘着テープ
【図１】
0003113478.tif 000003
【図２】
0003113478.tif 000004
【図３】
0003113478.tif 000005
【図４】
0003113478.tif 000006
(57)【要約】【課題】本考案は、ゆで卵の切り口が美的な波形花弁状となり、オードブルや弁当の盛り付けに最適であり、より豊かな食生活を提供するものである。【解決手段】本考案は卵スタンド本体２にセットした切断キャップ４と突き刺し棒５の併用により、ゆで卵が簡単かつ美的な波形花弁状に切断でき、食生活に潤いを与えることに役立つ。【選択図】  図１
0003113475.tif 000002
【実用新案登録請求の範囲】
【請求項１】
卵スタンド本体にゆで卵をセットして、切断糸のついた突き刺し棒をゆで卵に差し込むことによりゆで卵を固定し、卵の中央部から出た切断糸を切断キャップの切り口にそって移動させることにより、ゆで卵の切り口を波形花弁状に切断できるところを特徴とするゆで卵切り器。
【請求項２】
卵スタンド本体にセットする切断キャップの厚さと、切断キャップ切り口の大きさに変化をつけることにより、卵の切断場所を変えるとともに、切り口の波形花弁状の大きさも変えるところを特徴とするゆで卵切り器。
【請求項３】
卵受け底の活用により、ゆで卵を縦六等分のくし形に切断するとともに、縦スライス状にも切断できることを特徴とするゆで卵切り器。
【考案の詳細な説明】
【技術分野】
【０００１】
本考案は、ゆで卵の切り口を波形花弁状に切断するものである。
【背景技術】
【０００２】
従来から、ゆで卵を花弁状に二等分するものは存在しているが、それは卵のほぼ中央で二等分することと、切り口の花弁状の形が波形でなく、しかも切り口の形が一定しているゆで卵切り器である。（特許文献１参照）
【０００３】
【特許文献１】実公昭６１−６３３９号公報
【考案の開示】
【考案が解決しようとする課題】
【０００４】
本考案は、卵の大、小また二等分以外の割合にも対応でき、切り口の花弁の形も変化をもたせることが可能となり、前述の欠点を解決しようとするものである。
【課題を解決するための手段】
【０００５】
本考案は、従来のようにゆで卵の外部からカッター等で切断する方法ではなく、ゆで卵に切断糸のついた突き刺し棒を通し、ゆで卵の中央部から突き刺し棒にそって外部に出た切断糸を、切断キャップ切り口にそって移動することにより、切り口の花弁形に変化をもたせるとともに、切断キャップの交換により卵の大きさにも対応でき、かつ切断場所を変えることも可能となる。
【考案の効果】
【０００６】
上記のように、本考案のゆで卵切り器は、卵の大きさ、切り口の変化にも対応でき、かつゆで卵を縦切りにすることもできる。
【考案を実施するための最良の形態】
【０００７】
卵スタンド本体にゆで卵をセットして、突き刺し棒をゆで卵に差し込み固定させ、突き刺し棒についている切断糸を、切断キャップにそって移動することにより、ゆで卵を花弁状に切断することとなる。  
【実施例】
【０００８】
以下、添付図面に従って、一実施例を説明する。
１のゆで卵を２の卵スタンド本体にセット、突き刺し棒５をゆで卵に差し込み固定させ、ゆで卵中央部から出ている切断糸６を、４の切断キャップ切り口にそって移動することにより、切り口を波形花弁状にする。
【０００９】
切断キャップを１０または１１に交換することにより、卵の切断場所を変更したり、波形花弁状の大きさを変更することが可能である。
【００１０】
卵受け底の活用により、卵受け底１３はゆで卵を縦六等分くし形に切断でき、卵受け底を１４に交換することにより、ゆで卵を縦にスライスすることが可能である。
【図面の簡単な説明】
【００１１】
【図１】本考案のゆで卵切り器の実施例を示す正面断面図である。
【図２】切断キャップを交換した時の正面断面図である。
【図３】切断キャップの平面図である。
【図４】切断キャップの断面図である。
【図５】切り口の違う切断キャップの平面図である。
【図６】切断キャップの断面図である。
【図７】波形花弁状の突き刺し棒平面図
【図８】縦六等分くし形卵受け底の平面図
【図９】縦スライス状卵受け底の平面図
【符号の説明】
【００１２】
１  ゆで卵
２  卵スタンド本体
３  卵受け底
４  切断キャップ
５  突き刺し棒
６  切断糸  
７  糸止め
８  保護キャップ
９  安定キャップ        
１０  切断キャップ
１１  切断キャップ
１２  縦切り金属糸
１３  縦六等分くし形卵受け底              
１４  縦スライス状卵受け底
【図１】
0003113475.tif 000003
【図２】
0003113475.tif 000004
【図３】
0003113475.tif 000005
【図４】
0003113475.tif 000006
【図５】
0003113475.tif 000007
【図６】
0003113475.tif 000008
【図７】
0003113475.tif 000009
【図８】
0003113475.tif 000010
【図９】
0003113475.tif 000011
(57)【要約】      （修正有）【課題】舌の奥部、硬口蓋、軟口蓋等の口腔内部の洗浄に適した口腔洗浄具を提供する。【解決手段】柄部１と、該柄部１の一端１ａに設けた柔軟なスポンジ製の棒状体３とよりなる口腔洗浄具。棒状体３は、一例として、断面略円形のものとするが、表面に凹凸を形成しても差し支えない。使用時には、柄部１を手に把持し、スポンジ製の棒状体３に水を含ませた状態で該棒状体３を口腔内に挿入し、舌５の奥部、硬口蓋７、軟口蓋９等の口腔１１内部を洗浄する。或いは、水を含ませたスポンジ製の棒状体１を口腔１１内に挿入した状態で、歯ブラシ１３により歯１５、１９と歯茎１７、２１とをブラッシングする。【選択図】図３
0003113431.tif 000002
【実用新案登録請求の範囲】
【請求項１】
柄部と、該柄部の一端に設けた柔軟なスポンジ製の棒状体とよりなる口腔洗浄具。
【考案の詳細な説明】
【技術分野】
【０００１】
本考案は、口腔洗浄具に関するものである。
【背景技術】
【０００２】
歯、歯茎等をブラッシングし、歯の表面、歯と歯との間の隙間、歯と歯茎との間の隙間等に残留する汚れを除去するための道具として、歯ブラシが広く使用されている。
【０００３】
上記歯ブラシは、一般に、柄部の一端に設けられた支持部の片面にブラシを植設してなるものである。
【０００４】
また、実用新案登録第３０２６７３４号公報は、舌クリーナー（以下「従来の舌クリーナー」という。）を開示している。
【０００５】
上記従来の舌クリーナーは、断面形状が平板状の柄の先端に舌苔掻取部を備えさせ、該舌苔掻取部の平面形状を略扇形に形成してなるものである。
【特許文献１】実用新案登録第３０２６７３４号公報
【考案の開示】
【考案が解決しようとする課題】
【０００６】
上記歯ブラシは、歯の表面、歯と歯との間の隙間、歯と歯茎との間の隙間等に残留する汚れを除去するための道具としては好ましいものであ。
【０００７】
しかるに、上記歯ブラシは、ブラシが硬い感触を有するため、舌の奥部、硬口蓋、軟口蓋等の口腔内部を洗浄するには適さないものである。
【０００８】
上記従来の舌クリーナーは、舌苔を掻き取るための道具としては、一応使用することができる。
【０００９】
しかるに、上記従来の舌クリーナーは、舌苔掻取部が硬いため、舌の奥部、硬口蓋、軟口蓋等の口腔内部を洗浄するには適さないものである。
【００１０】
本考案は、上記従来の歯ブラシ及び舌クリーナーにおける上述の如き問題を解決し、舌の奥部、硬口蓋、軟口蓋等の口腔内部の洗浄に適した口腔洗浄具を提供しようとしてなされたものである。
【課題を解決するための手段】
【００１１】
上記課題を解決するために、本考案は、下記の口腔洗浄具を提供する。
【００１２】
柄部と、該柄部の一端に設けた柔軟なスポンジ製の棒状体とよりなる口腔洗浄具（請求項１）。
【００１３】
［考案の作用］
本考案による口腔洗浄具を使用する際には、柄部を手に把持し、スポンジ製の棒状体に水を含ませた状態で該棒状体を口腔内に挿入し、舌の奥部、硬口蓋、軟口蓋等の口腔内部を洗浄する。図２参照。
【００１４】
しかるときは、口腔内の汚れは、虫歯菌等の菌類と共に除去される。
【００１５】
また、水を含ませたスポンジ製の棒状体を口腔内に挿入した状態で、歯ブラシにより歯と歯茎とをブラッシングする。
【００１６】
しかるときは、スポンジ製の棒状体から口腔内に水が供給され、歯の表面、歯と歯との間の隙間、歯と歯茎との間の隙間等の汚れは、虫歯菌等の菌類と共に洗い流される。図３参照。
【考案の効果】
【００１７】
本考案による口腔洗浄具は、柄部の一端に柔軟なスポンジ製の棒状体を設けてなるものであるため、該棒状体に水を含ませた状態で該棒状体を口腔内に挿入し、舌の奥部、硬口蓋、軟口蓋等の口腔内部を好ましく洗浄することができる。
【００１８】
また、水を含ませたスポンジ製の棒状体を口腔内に挿入した状態で、歯ブラシにより歯と歯茎とをブラッシングしたときには、スポンジ製の棒状体から口腔内に水が供給され、歯の表面、歯と歯との間の隙間、歯と歯茎との間の隙間等の汚れは、虫歯菌等の菌類と共に洗い流される。
【考案を実施するための最良の形態】
【００１９】
本考案による口腔洗浄具は、柄部１と、該柄部１の一端１ａに設けた柔軟なスポンジ製の棒状体３とよりなるものである。
【００２０】
棒状体３は、一例として、断面略円形のものとするが、表面に凹凸を形成しても差し支えない。
【００２１】
図２は、柄部１を手に把持し、スポンジ製の棒状体３に水を含ませた状態で該棒状体３を口腔内に挿入し、舌５の奥部を洗浄している状態を示す。符号７に示すものは硬口蓋であり、符号９に示すものは軟口蓋である。
【００２２】
図３は、水を含ませたスポンジ製の棒状体３を口腔１１内に挿入すると共に、歯ブラシ１３により上歯１５と歯茎１７とをブラッシングしている状態を示す。符号１９に示すものは下歯、符号２１に示すものは歯茎である。なお、図３において、符号２３に示すものは水滴である。
【図面の簡単な説明】
【００２３】
【図１】本考案による口腔洗浄具の一例を示す斜視図である。
【図２】スポンジ製の棒状体に水を含ませた状態で該棒状体を口腔内に挿入し、舌の奥部を洗浄している状態を示す説明図である。
【図３】水を含ませたスポンジ製の棒状体を口腔内に挿入すると共に、歯ブラシにより歯と歯茎とをブラッシングしている状態を示す説明図である。
【符号の説明】
【００２４】
１  柄部
１ａ  一端
３  棒状体
５  舌
７  硬口蓋
９  軟口蓋
１１  口腔
１３  歯ブラシ
１５  上歯
１７  歯茎
１９  下歯
２１  歯茎
２３  水滴
【図１】
0003113431.tif 000003
【図２】
0003113431.tif 000004
【図３】
0003113431.tif 000005
(57)【要約】【課題】  棚としてでなく、インテリアなどの多目的用途に供し得る棚の提供。【解決手段】  壁面、柱などの部屋内の垂直面に設置する棚であって、所望形状を有する棚板１に貫通する孔２を複数穿ち、造花Ａや飾紐、鈎片６などを掛止できるようにして成ることを特徴とする多目的棚。【選択図】        図１
0003113439.tif 000002
【実用新案登録請求の範囲】
【請求項１】
壁面、柱などの部屋内の垂直面に設置する棚であって、所望形状を有する棚板に貫通する孔を複数穿ち、造花や飾紐、鈎片などを掛止できるようにして成ることを特徴とする多目的棚。
【請求項２】
貫通する孔は、大きさを異にする円形、角形、星形などの好みの形状を備えて成ることを特徴とする請求項１記載の多目的棚。
【考案の詳細な説明】
【技術分野】
【０００１】
この考案は、部屋内の壁面や柱などの垂直面に設置する多目的棚に関する。
【背景技術】
【０００２】
概して棚は、物を載置する機能を有するものであるので、古来、平板が用いられている。
【０００３】
これに対し、係止孔を穿ったものも知られているが、ハンガーの引掛具を係止させるものであり、係止孔も長尺のもので形成されていた（例えば、特許文献１参照。）。
【０００４】
また、棚板の表面に凹所を設けて、種々の棒状体を植設する飾り棚が知られている（例えば、特許文献２参照。）。
【特許文献１】特開平１１−７００４０号公報
【特許文献２】特開２００５−１０３０３８号公報
【考案の開示】
【考案が解決しようとする課題】
【０００５】
然し乍ら、いずれもインテリア機能を持たせたものでない。
【０００６】
ところで、最近では、部屋のインテリアも多様化し、この多様化に対応する必要があった。
【０００７】
本考案は、本来、物を載置する棚に、新たな機能を附加し、多目的用途に供し得るようにした多目的棚を提供することを目的とする。
【課題を解決するための手段】
【０００８】
本考案は、以下の構成を備えることにより、上記課題を解決できる。
【０００９】
（１）壁面、柱などの部屋内の垂直面に設置する棚であって、所望形状を有する棚板に貫通する孔を複数穿ち、造花や飾紐、鈎片などを掛止できるようにして成ることを特徴とする多目的棚。
【００１０】
（２）貫通する孔は、大きさを異にする円形、角形、星形などの好みの形状を備えて成ることを特徴とする前記（１）記載の多目的棚。
【考案の効果】
【００１１】
本考案によれば、棚板には複数の貫通した孔が設けられているので、この孔を利用して造花を挿し込んで装飾棚として用いたり、リボンなどを結んでデコレーション棚として用いたり、洗面所では歯ブラシを挿し込んで整理できたり、さらに吊り下げ用の鈎を引掛けることにより、一種のハンガー用として用いたり、多目的に利用できる。そして、棚本体の機能に附加した、新たな機能として利用できる。
【考案を実施するための最良の形態】
【００１２】
図１ないし図３は、最も標準的な実施例を示す。
【００１３】
１は長方形の棚板で、木材または合成樹脂、化粧ガラスあるいは金属など任意の材料で形成される。
【００１４】
２は複数の貫通した孔を示し、図示では径の異なる二種類の大きさの円形の孔が示されているが、図５に示すように楕円形、角形、星形、菱形、スリット形などの好みの孔形状のものを好みに組み合わせて形成できる。
【００１５】
３は壁面や柱の取付面で、棚板１を直接または支持片４を用いて、部屋の好みの場所に設置固定できる。
【００１６】
そして、棚板１自体は複数の貫通した孔２の形状、配置により、棚自体にインテリアとしての美感を提供できるが、図示のように、造花Ａや生花Ｂの一輪挿しとして棚自体に花瓶の機能を持たせることもできる。なお、生花の場合には、貯溜水筒５を孔２の嵌挿して用いるのが、好ましい。
【００１７】
図４は、コーナー用の棚板１ａを示す。なお、部屋側に突出する端縁は、図１に示すように直線状の場合は勿論のこと、図４に示すように、非直線の凹凸模様状に変形させることもできる。
【００１８】
また、貫通した孔２には、図７に示すような引掛け用の鈎片６を係止させて、好みのものを吊り下げたり、リボンや紐を結んで複数の孔２を利用した装飾効果を与えることができる。
【００１９】
このように、棚板１，１ａに貫通した孔２には、好みの物を係入させて、部屋のインテリア効果を、住人各自のオリジナルな感覚で創造でき、棚自体の機能に加えた新しい感覚を満たすインテリア機能を持たせることができる。
【図面の簡単な説明】
【００２０】
【図１】本考案に係る多目的棚の一実施例を示す使用状態の平面図
【図２】図１の側面図
【図３】図１の正面図
【図４】本考案の他の実施例を示す平面図
【図５】（ａ）（ｂ）（ｃ）（ｄ）棚板に貫通した孔の形状の４例を示す平面図
【図６】貫通した孔内に係入させた一輪挿し用貯溜水筒の要部の側面図
【図７】貫通した孔内に係入させた鈎片の要部側面図
【符号の説明】
【００２１】
Ａ  造花
Ｂ  生花
１、１ａ  棚板
２  貫通した孔
３  取付面
４  支持片
５  貯溜水筒
６  鈎片
【図１】
0003113439.tif 000003
【図２】
0003113439.tif 000004
【図３】
0003113439.tif 000005
【図４】
0003113439.tif 000006
【図５】
0003113439.tif 000007
【図７】
0003113439.tif 000008
【図６】
0003113439.tif 000009
(57)【要約】【課題】  この考案は安価で誰でも簡単に取り付け取り外しが出来、且つ、故障が少なく、防犯効果のある引き違い戸用施錠具を開発・提供する事にある。【解決手段】  この課題を解決する為の手段として、施錠具は施錠用閂と閂の一端から所定寸法の位置に挿着した抜け防止用軟質リング部材から成り、且つ、該引き違い戸が重合した框部の上下方向に一箇所又は複数箇所の閂通し用穴をそれぞれ設け、且つ、該閂通し用穴部に一個又は複数の抜け防止用軟質リング部材付閂を嵌挿して設けたものである。【選択図】  図１
0003113496.tif 000002
【実用新案登録請求の範囲】
【請求項１】
引き違い戸を防犯の為に補助的に施錠する為の施錠具であって、該施錠具は施錠用閂（１）と閂の一端から所定寸法（Ｘ）の位置に挿着した抜け防止用軟質リング部材（２）から成り、且つ、該引き違い戸（ＰＤ１）（ＰＤ２）が重合した框部（ＰＤ１’）（ＰＤ２’）の上下方向に一箇所又は複数箇所の閂通し用穴（Ｈ）をそれぞれ設け、且つ、該閂通し用穴（Ｈ）部に、一個又は複数の抜け防止用軟質リング部材（２）付閂（１）を嵌挿して設けた事を特徴とする引き違い戸用施錠具。
【考案の詳細な説明】
【技術分野】
【０００１】
この考案は、引き違い戸を防犯の為に補助的に施錠する為の引き違い戸用施錠具に関するものである。
【背景技術】
【０００２】
従来、引き違い戸の施錠は回転式のロック（クレセント錠）が多く使用されており、中には戸と鴨居の間に挟んで戸が開かない様にするものや、戸に取り付け、立ち上がり部を起こす事により戸が動かない様にするものがあった。
【０００３】
しかし、上記の回転式のロック（クレセント錠）付きの引き違い戸はガラスを割って、その部分から手を入れて簡単に開けられてしまう為、最近では二重・三重の防犯用補助装置を付けているところが増加している。
【０００４】
しかし、これらは何れも構造が複雑で高価な物が多く、又、取り付けも複雑で、誰でも簡単に取り付け取り外しが出来るものでは無く、面倒で有っても実際には使用しない事が多い為、防犯が疎かに成り勝ちである。
【０００５】
そこで、上記問題を解決すべく、安価で誰でも簡単に取り付け取り外しが出来る引き違い戸用施錠具の開発が望まれる。
【０００６】
これまでに出願されている特許文献を参考の為、紹介する。（特許文献１参照。）
【特許文献１】特開２００２−３６４２１８
【考案の開示】
【考案が解決しようとする課題】
【０００７】
そこで、上記課題を解決する為に、この考案は安価で誰でも簡単に取り付け取り外しが出来、且つ、故障が少なく、防犯効果のある引き違い戸用施錠具を開発・提供する事にある。
【課題を解決するための手段】
【０００８】
この課題を解決する為の手段として、施錠具は施錠用閂と閂の一端から所定寸法の位置に挿着した抜け防止用軟質リング部材から成り、且つ、該引き違い戸が重合した框部の上下方向に一箇所又は複数箇所の閂通し用穴をそれぞれ設け、且つ、該閂通し用穴部に一個又は複数の抜け防止用軟質リング部材付閂を嵌挿して設けたものである。
【考案の効果】
【０００９】
この考案の効果として、施錠用閂と閂の一端から所定寸法の位置に挿着した抜け防止用軟質リング部材から成り、且つ、該引き違い戸が重合した框部の上下方向に一箇所又は複数箇所の閂通し用穴をそれぞれ設け、且つ、該閂通し用穴部に一個又は複数の抜け防止用軟質リング部材付閂を嵌挿して設けた事で、簡単に誰もがワンタッチで固定、施錠、開閉出来、且つ、地震等の緊急時等でもワンタッチで開錠、避難出来る。
【００１０】
又、部品点数が少なく、極めて単純な仕組みであり、特別な工具を必要とせず、又、引き違い戸が重合した框部の任意の位置に閂通し用穴を開ける事で簡単に設置出来る等、極めて有益なる効果を奏するものである。
【考案を実施するための最良の形態】
【００１１】
この考案の最良の形態として、閂の長さは引き違い戸が重合した部分の厚み寸法に、握り部分の寸法を加えた適度の寸法にする事が望ましい。又、抜け防止用軟質リング部材の取り付け位置寸法は、框部に嵌挿した時、ガタツキを生じない適度な寸法に設定する事が望ましい。
【実施例１】
【００１２】
そこで、この考案の一実施例を図１に基づいて詳述すると、引き違い戸を防犯の為に補助的に施錠する為の施錠具であって、該施錠具は施錠用閂（１）と閂の一端から所定寸法（Ｘ）の位置に挿着した抜け防止用軟質リング部材（２）から成り、且つ、該引き違い戸（ＰＤ１）（ＰＤ２）が重合した框部（ＰＤ１’）（ＰＤ２’）の上下方向に一箇所又は複数箇所の閂通し用穴（Ｈ）をそれぞれ設け、且つ、該閂通し用穴（Ｈ）部に、一個又は複数の抜け防止用軟質リング部材（２）付閂（１）を嵌挿して設けた事を特徴とする引き違い戸用施錠具から構成される。
【００１３】
次に、この考案の詳細について説明すると、施錠用閂（１）は鉄又はアルミ等の金属製で形成され、一端から所定寸法（Ｘ）の位置の外周部に抜け防止用軟質リング部材（２）取り付け溝部（１ｂ）を設け、且つ、該溝部（１ｂ）にＯリング等の抜け防止用軟質リング部材（２）を挿着し、且つ、先端部は嵌挿し易い様にテーパー状の面取り部（１ａ）を設けている。
【００１４】
次に、取り付け要領について説明すると、図２（Ａ）（Ｂ）に示す様に引き違い戸を閉めた状態で、框部（ＰＤ１’）（ＰＤ２’）上下方向の一箇所又は複数箇所に、閂（１）の外径寸法より若干大きめな閂通し用穴（Ｈ）を、電気ドリル等を使用して任意の位置に貫通させない様にして開け、そして、最後に挿入部周囲を軽く面取り加工する。そして、閂通し用穴（Ｈ）の部分に、抜け防止用軟質リング部材（２）付閂（１）を嵌挿する。
【００１５】
図２（Ｃ）は、図２（Ｂ）のａ部拡大詳細図である。
【００１６】
又、図３に示す様に、引き違い戸框部（ＰＤ２’）内側に両面テープ等の固着部材付収納ケース（ＣＡ）を設置して、閂（１）を収納しておけば、緊急時等、いざという時に使用出来る為、非常に便利である。
【産業上の利用可能性】
【００１７】
この考案の引き違い戸用施錠具は、安価で誰でも簡単に取り付け取り外しが出来、且つ、故障が少なく、防犯効果がある為、多くの市場に寄与する点で産業上の利用可能性を有する。
【図面の簡単な説明】
【００１８】
【図１】この考案の一実施例を示し、（Ａ）は平面図で、（Ｂ）は正面図である。
【図２】この考案の使用例を示し、（Ａ）は正面図で、（Ｂ）は図２（Ａ）のａ−ａ矢視断面図で、  （Ｃ）は図２（Ｂ）のｂ部拡大詳細図である。
【図３】この考案の使用例を示し、固着部材付収納ケースの取り付け及び閂嵌挿要領を示す斜視図である。
【符号の説明】
【００１９】
１  閂
１ａ  面取り部
１ｂ  溝部
２  軟質リング部材
ＣＡ  固着部材付収納ケース
Ｈ  閂通し用穴
ＰＤ１  引き違い戸
ＰＤ１’  框部
ＰＤ２  引き違い戸
ＰＤ２’  框部
Ｘ  所定寸法
【図１】
0003113496.tif 000003
【図２】
0003113496.tif 000004
【図３】
0003113496.tif 000005
(57)【要約】      （修正有）【課題】着用時の快適性が向上し、製造コストが低減になり、且つ環境保全に優しい調整可能なショーツの提供。【解決手段】８字形のを呈する縄を有し、縄の両端には環状を呈する掛け部がそれぞれ設けてあり、二つの掛け部が連結する端部の付近では摺動自在な束ね具が少なくとも一つ設けてある調整可能なショーツ。【選択図】図１
0003113414.tif 000002
【実用新案登録請求の範囲】
【請求項１】
８字形のを呈する縄を有し、前記縄の両端には環状を呈する掛け部がそれぞれ設けてあり、二つの前記掛け部の間には連結部が設けてあり、二つの前記掛け部が連結する端部の付近では摺動自在な束ね具が少なくとも一つ設けてあることを特徴とする、調整可能なショーツ。
【請求項２】
前記縄の連結部の一端が延在し、且つ前記縄の連結部の他端に設けられた二つの掛け部には掛け部を束ねるための束ね具が一つ設けてあることを特徴とする、請求項１に記載の調整可能なショーツ。
【請求項３】
前記連結部には吸収体が設けてあることを特徴とする、請求項１又は２に記載の調整可能なショーツ。
【考案の詳細な説明】
【技術分野】
【０００１】
本考案は調整可能なショーツに関するものである。
【背景技術】
【０００２】
目下、一般のショーツ、例えば三角ショーツや四角ショーツは、長時間に着用すると、体が蒸し暑くなり、特に、月経期間の女性やオムツを着用するお年寄り又は子供にとっては、極めて不快適である。
【０００３】
また、ソレキリ式ショーツは、設計が従来のものと同様なので、布の使用量が多くて、製造コストが向上し、且つ環境保全に優しくない。
【考案の開示】
【考案が解決しようとする課題】
【０００４】
本考案の主な目的は、着用時の快適性が向上し、製造コストが低減になり、且つ環境保全に優しい調整可能なショーツを提供する。
【課題を解決するための手段】
【０００５】
上記目的を達成するためになされた本願の考案は、８字形のを呈する縄を有し、前記縄の両端には環状を呈する掛け部がそれぞれ設けてあり、二つの前記掛け部の間には連結部が設けてあり、二つの前記掛け部が連結する端部の付近では摺動自在な束ね具が少なくとも一つ設けてあることを特徴とする調整可能なショーツであることを要旨としている。
【０００６】
本願の考案では、前記縄の連結部の一端が延在し、且つ前記縄の連結部の他端に設けられた二つの掛け部には掛け部を束ねるための束ね具が一つ設けてあることを特徴とする請求項１に記載の調整可能なショーツであることを要旨としている。
【０００７】
本願の考案では、前記連結部には吸収体が設けてあることを特徴とする請求項１又は２に記載の調整可能なショーツであることを要旨としている。
【考案の効果】
【０００８】
本考案に係る調整可能なショーツによれば、次のような効果がある。
（イ）本考案に係る調整可能なショーツの掛け部の間には連結部が設けてあるので、着用するときに、人体の放熱が布に妨害されなくなり、通風効果が良くなり、着用時の快適性が向上する。
【０００９】
（ロ）本考案に係る調整可能なショーツの連結部に吸収体を粘着することができ、前記吸収体は例えばナプキンやオムツなどを使用することができ、使用が極めて便利である。
【００１０】
（ハ）本考案に係る調整可能なショーツは、主に縄で作製されるので、布の使用量が少なくなり、製造コストが低減になり、本考案をソレキリ式ショーツに適用すれば、当該製品は環境保全に優しい。
【００１１】
(二)本考案に係る調整可能なショーツは、掛け部が使用者の体型に合わせて束ね具によって調整することができるので、使用者は自分の好きなようにショーツを着用することができる。
【考案を実施するための最良の形態】
【００１２】
以下、添付図面を参照して本考案の好適な実施の形態を詳細に説明する。
【００１３】
まず、図１乃至図２を参照する。本考案に係る調整可能なショーツは、８字形のを呈する縄１０を有し、前記縄１０は弾性を持つロープでもよく、前記縄１０の両端には環状を呈する掛け部１１がそれぞれ設けてあり、二つの前記掛け部１１の間には連結部１２が設けてあり、二つの前記掛け部１１が連結する端部の付近では摺動自在な束ね具１３が設けてあり、前記縄１０は、一体成形されたものであってもいいし、二つのサークル状の縄を結合して構成されたものであってもよい。
【００１４】
本考案の使用方法は、図２に示すように、まず、使用者は本考案に係る連結部１２に吸収体２０を粘着し、前記吸収体２０は例えばナプキンやオムツなどを使用することができ、また、図３に示すように、使用者は二つの足をそれぞれ二つの掛け部１１に挿入して、当該ショーツを上へ引いて、図４に示すように、二つの束ね具１３を掛け部１１に沿って上へ移動させて、図５に示すように、掛け部１１を使用者の腰部に掛けると、本考案に係る調整可能なショーツの着用が完成する。
【００１５】
図６に示すのは、本考案に係る他の実施例であり、二つの掛け部１１０が連結部１２０の両端と結合し、着用するときに、二つの掛け部１１０の束ね具１３の下の部分は三角形に成し、通風効果がもっと良くなる。
【００１６】
図７に示すのは、本考案に係るもう一つの実施例であり、当該縄１０１の連結部１２１の端（使用者の前方または後方）が延在し、且つ前記縄１１０の連結部１２１の他端に設けられた二つの掛け部１１１には掛け部１１１を束ねるための束ね具１３が一つ設けてあり、着用するときに、使用者は二つの束をそれぞれ二つの掛け部１１１に挿入して、当該ショーツを上へ引いて、一つの束ね具１３を掛け部１１１に沿って上へ移動させて、掛け部１１１を使用者の腰部に掛けると、本考案に係る調整可能なショーツの着用が完成する。
【図面の簡単な説明】
【００１７】
【図１】本考案の斜視図である。
【図２】本考案の吸収体と結合するための素子を示す分解斜視図である。
【図３】本考案の使用方法を示す概略図である。
【図４】本考案に係る調整可能なショーツを着用する状態を示す概略図である。
【図５】本考案に係る調整可能なショーツを使用者に着用された状態を示す概略図である。
【図６】本考案に係る他の実施例の斜視図である。
【図７】本考案に係るもう一つの実施例の斜視図である。
【符号の説明】
【００１８】
１０，１００，１０１  縄
１１，１１０，１１１  掛け部
１２，１２０，１２１  連結部
１３      束ね具
２０      吸収体
【図１】
0003113414.tif 000003
【図２】
0003113414.tif 000004
【図３】
0003113414.tif 000005
【図４】
0003113414.tif 000006
【図５】
0003113414.tif 000007
【図６】
0003113414.tif 000008
【図７】
0003113414.tif 000009
(57)【要約】【課題】  本考案は、、口金、摺動先金、スプリングのみによって伸縮式ボールペンの口金装置部を構成し、安価で且つ組立作業の確実な伸縮式ボールペンを提供しようとするものである【解決手段】  先端に口金を着脱自在とした前軸部と後軸部の前後の縮小操作によって押し杆の押圧をコイルスプリングに抗して摺動先金に伝え、これによって口金に前後動自在に挿通した摺動先金をボールペンリフィルの芯先隠蔽位置まで突出自在とした伸縮式ボールペン本体において、口金、摺動先金、コイルスプリングよりなる口金装置部の、摺動先金は先端部に設けた圧入段差を口金の開口部に基端部より圧入貫通させ外側に露呈させて圧入段差と摺動先金の後部段差の間を前後動自在とし、口金と摺動先金との空間部にはコイルスプリングを装填してなる伸縮式ボールペンである。【選択図】  図１
0003113424.tif 000002
【実用新案登録請求の範囲】
【請求項１】
先端に口金を着脱自在とした前軸部と後軸部の前後の縮小操作によって押し杆の押圧をコイルスプリングに抗して摺動先金に伝え、これによって口金に前後動自在に挿通した摺動先金をボールペンリフィルの芯先隠蔽位置まで突出自在とした伸縮式ボールペン本体において、口金、摺動先金、コイルスプリングよりなる口金装置部の、摺動先金は先端部に設けた圧入段差を口金の開口部に基端部より圧入貫通させ外側に露呈させて圧入段差と摺動先金の後部段差の間を前後動自在とし、口金と摺動先金との空間部にはコイルスプリングを装填してなる伸縮式ボールペン。
【考案の詳細な説明】
【技術分野】
【０００１】
本考案は伸縮式ボールペンの改良に関する。
【背景技術】
【０００２】
従来の伸縮式のボールペンは、特公平２-２１３９８号公報、実公平４-２７６７０号公報等に示されるように、先端に口金を着脱自在とした前軸部と後軸部の前後の伸長操作によって押し杆の押圧をコイルスプリングに抗して摺動先金に伝え、これによって口金に前後動自在に挿通した摺動先金をボールペンリフィルの芯先隠蔽位置までコイルスプリングの押圧に抗して突出自在としてあるが、この時の口金、摺動先金とコイルスプリングよりなる口金装置部２９は、個々にばらばらになっているか、図５に示すように口金３０の先端側から摺動先金３１を挿入して互いの段差部３２，３３間の距離を前後動自在とし、摺動先金３１の後端にはストッパーリング３４を固定して、ストッパーリング３４の鍔と口金３０の間にコイルスプリング３３を装填し、このストッパーリング３４の鍔の後端面を図示しない押し杆による押圧を伝えて摺動先金３１を押圧自在としてある。
【０００３】
然しながらこの口金装置部２９の口金、摺動先金、コイルスプリングがばらばらになっている場合は芯交換などで口金を外すときにこれらの構成部品、殊にコイルスプリングを紛失する恐れがあり、又図５の場合は構成部品の紛失する恐れは少ないが、ストッパーリングが余計に必要となってコスト高になってしまう恐れがある。
【特許文献１】特公平２-２１３９８号公報、実公平４-２７６７０号公報
【考案の開示】
【考案が解決しようとする課題】
【０００４】
そこで本考案は、口金、摺動先金、スプリングのみによって伸縮式ボールペンの口金装置部を構成し、安価で且つ組立作業の確実な伸縮式ボールペンを提供しようとするものである。
【課題を解決するための手段】
【０００５】
先端に口金を着脱自在とした前軸部と後軸部の前後の縮小操作によって押し杆の押圧をコイルスプリングに抗して摺動先金に伝え、これによって口金に前後動自在に挿通した摺動先金をボールペンリフィルの芯先隠蔽位置まで突出自在とした伸縮式ボールペン本体において、口金、摺動先金、コイルスプリングよりなる口金装置部の摺動先金は、先端部に設けた圧入段差を口金の開口部に基端部より圧入貫通させ外側に露呈させて圧入段差と手動先金の後部段差の間を前後動自在とし、口金と摺動先金との空間部にコイルスプリングを装填してなるものである。
【０００６】
本考案の効果として、摺動先金、口金、スプリングのみによって伸縮式ボールペンの口金装置部を構成してあるので、部品数が少なく且つ組立作業が確実でコスト安の伸縮式ボールペンを提供することができる。
【実施例】
【０００７】
先端に口金２を着脱自在とした前軸部４と後軸部７の前後の縮小、伸長操作によって押し杆９の押圧を摺動先金１に伝え、これによって口金２に前後動自在に挿通した摺動先金１をボールペンリフィル１５の芯先１５’隠蔽位置まで突出自在とした伸縮式ボールペン本体１７において、口金２、摺動先金１、コイルスプリング３よりなる口金装置部２０の摺動先金１は、先端部に設けた圧入段差１８を口金２の開口部２’に基端部より圧入貫通させ外側に露呈させて圧入段差１８と摺動先金１の後部段差１’の間を前後動自在とし、口金２と摺動先金１との空間部１９にはコイルスプリング３を装填してなるものである。
【０００８】
５は芯タンクで基端は胴中子１０に固定され、胴中子１０は前軸部４の後部に羽スプリング１６を介して固定され、後軸部７は羽スプリング１６の外側をスライドする。
【０００９】
６は芯タンクカバーで後端部は芯タンク５に前後動自在に挿通していると共に、前端部は摺動先金１の後端部に当接していて押し杆９の押圧をコイルスプリング３に抗して伝えるようになっている。
【００１０】
８は前軸部４の先端に固定した前軸中子、１１はクリップ１４のホルダーで後軸部７の後端に固定され先端には天冠１２が固定され、基端にはメスホック１３が設けてあって胴中子１０の後端に突設したオスホック１０’が停着自在となっていると共に、胴中子１０に挿通してある押し杆９を押圧自在としており、この押し杆９の他端は芯タンクカバー６を押圧自在としてある。
【００１１】
本案は以上のようになるもので、以下その作用を説明すると、図２の伸長状態から図１の縮小状態にするには、後軸部７を前軸部４に押圧することによりクリップホルダー１１、押し杆９、芯タンクカバー６が順に押し出され、芯タンクカバー６の先端が摺動先金１をコイルスプリング３に抗して前方に押し出し、芯先１５’を覆い隠す。
【００１２】
図１の縮小状態から図２の伸長状態(筆記状態)にするには前記操作と反対操作をすれば良いが、ホック１０’、１３が停着するまで押圧するようにする。
【図面の簡単な説明】
【００１３】
【図１】本考案に係る伸縮式ボールペンの縮小時の断面説明図
【図２】同伸張時の断面説明図
【図３】口金装置部の拡大断面説明図
【図４】後軸部における押し杆部分の拡大断面説明図
【図５】従来口金装置部の拡大断面説明図
【符号の説明】
【００１４】
１：摺動先金
１’：後部段差
２：口金
２’：開口部
３：コイルスプリング
４：前軸部
５：芯タンク
６：芯タンクカバー
７：後軸部
８：前軸中子
９：押し杆
１０：胴中子
１０’：オスホック
１１：クリップホルダー
１２：天冠
１３：メスホック
１４：クリップ
１５：ボールペンリフィル
１５’：芯先
１６：羽スプリング
１７：伸縮式ボールペン本体
１８：圧入段差
１９：空間部
２０：口金装置部
【図１】
0003113424.tif 000003
【図２】
0003113424.tif 000004
【図３】
0003113424.tif 000005
【図４】
0003113424.tif 000006
【図５】
0003113424.tif 000007
(57)【要約】【課題】  １回線に接続できる端末機器の数を増やすことを可能とする。【解決手段】端末機器側のジャック５とこれに接続される回線側の１又は複数組の端子７、８を収容したローゼットにおいて、一部又は全部の端子とジャックとの接続をオン・オフするためのスイッチ９を設ける。【選択図】      図１
0003113146.tif 000002
【実用新案登録請求の範囲】
【請求項１】
端末機器側のジャックとこれに接続される回線側の１又は複数組の端子を収容したローゼットにおいて、一部又は全部の端子とジャックとの接続をオン・オフするためのスイッチを設けたことを特徴とする通信回線用ローゼット。
【請求項２】
ローゼットは、壁面に取り付け可能なベース上にジャック及び端子とスイッチを配する共に、ジャックの差し込み口のための開口を施したカバーを上記ベースに対し被蓋した露出型ローゼットである請求項１記載の通信回線用ローゼット。
【請求項３】
ローゼットは、壁面に埋め込み可能なケース内にジャック及び端子とスイッチを配する共に、ジャックの差し込み口のための開口及びスイッチの操作摘みをケースの室内側に施した埋め込み型ローゼットである請求項１記載の通信回線用ローゼット。
【考案の詳細な説明】
【技術分野】
【０００１】
この考案は、電話もしくは各種の通信機器などの端末機器を対象とした宅内配線システムに使用するための通信回線用ローゼットに関し、より詳細には１回線に接続できる端末機器の数を増やすことを可能としたローゼットに関する。
【背景技術】
【０００２】
電話回線等の通信回線の宅内配線において、端末機器側のジャックとこれに接続される回線側の１又は複数組の端子を収容したローゼットが公知であった。
【０００３】
前記のローゼットは単純に端末機器と回線を１対１の関係で接続する用途の他に、図７に示すように複数のローゼットＲを例えばバス接続Ｂにより１つの回線Ｎに接続し、１回線に対し複数の端末機器Ｔを接続する用途で用いられていた。
【特許文献１】実公平７−４３９６３号公報
【特許文献２】実公平７−９３４４号公報
【考案の開示】
【考案が解決しようとする課題】
【０００４】
ところで、回線によっては１回線に対して同時に接続できる端末機器の数が制限されている場合がある。例えば電話回線の場合は、端末設備等規則（昭和６０年４月１日郵政省令第３１号）第１３条により、１つの回線に接続できる端末機器の静電容量はダイヤルパルスによる選択信号送出時及び、呼出信号受信時の静電容量のそれぞれにおいて３μＦ以下にしなければならないとされ、０．９μＦ前後である通常の電話機の場合は最大で３台しか接続出来なかった。これは技術上の問題によるものであり、誤って多数台の端末機器を接続した場合は通信できなくなる等の不都合が生じることもあった。
【０００５】
一方、現代においては例えばファクシミリやパソコン等、電話機以外の端末機器の種類が増え、又、電話機の低廉化により部屋ごとに電話機を設置する機会も増え、１回線に対する前記の端末機器数の制限はこれらの端末機器の増設に対する足かせとなっていた。
【課題を解決するための手段】
【０００６】
この考案は以上の従来技術の問題点を解消するためのローゼットを提供することを目的として創作されたものであり、端末機器側のジャックとこれに接続される回線側の１又は複数組の端子を収容したローゼットにおいて、一部又は全部の端子とジャックとの接続をオン・オフするためのスイッチを設けたことを特徴とする。
【考案の効果】
【０００７】
よって、この考案のローゼットを利用して１回線に対して複数台の端末機器を接続した場合、端末機器の数が制限を超えても必要に応じてスイッチにより回線側との接続をオン・オフすることにより、現実に回線に接続される端末機器の数を制限内に抑えることが可能となり、他の端末機器に悪影響を及ぼすことが防止される。
【考案を実施するための最良の形態】
【０００８】
以下、この考案の具体的実施例を添付図面に基づいて説明する。図１はこの考案を露出型ローゼット１に実施した例を示す図である。図中符号２はネジ等により壁面に取り付けられるべきローゼットのベースであり、ジャック５及び端子７、８とスイッチ９は基板４に実装されて上記ベースに取り付けられる。ここではジャック５として２心乃至４心以上のものを想定し、又、端子は各ローゼット同士のバス接続のために各極にそれぞれ２個の電線挿入孔を備えたものを２組想定している。図中符号７、８は各端子、同じくＬ１〜Ｌ４は端子７の電線挿入孔、Ｌ５〜Ｌ８は端子７の電線挿入孔を指す。以上のベース１にはジャックの差し込み口のための開口１０を施したカバー９が着脱自在に被蓋される。
【０００９】
図２はこのローゼット１の配線図である。ここでは端子中の８はジャックに常時接続されるが、端子７はスイッチ９を介して接続されることによりジャックとの接続がオン・オフ自在となる。尚、この実施例における端子の組数及びスイッチとの組み合わせはあくまでも例示であり、これらに限定されないことは勿論である。
【００１０】
図６はこの考案のローゼットの使用例を示す宅内における配線図である。ここでは、回線ＮからのバスＢ上に４個のローゼット１を配した例を示しており、ジャック５をバスＢに接続されたスイッチ９付きの端子７側に接続することにより、端末機器Ｔはスイッチにより回線との接続がオン・オフされることになる。
【００１１】
図３乃至図５はこの考案を埋め込み型ローゼット２０に実施した例を示す図である。図中符号２１及び２５は壁面に埋め込み可能なケースを構成する分割片であり、ジャック２３及び端子２６、２７とスイッチ２４は基板２２に実装されて上記ケース内に収容される。このローゼット２０においてはジャックの差し込み口のための開口及びスイッチの操作摘みはケースの室内側に、端子は壁内側に施される。この実施例のその余の構成は前記の露出型ローゼットの場合と共通するので詳細な説明は省略する。
【図面の簡単な説明】
【００１２】
【図１】この考案を露出型ローゼットに実施した例を示す分解斜視図。
【図２】同上、配線図。
【図３】この考案を埋め込み型ローゼットに実施した例を示す分解斜視図。
【図４】同上、ローゼットの斜視図。
【図５】同上、ローゼットの斜視図。
【図６】同上、宅内回線における使用例を示す配線図。
【図７】従来技術のローゼットの宅内回線における使用例を示す配線図。
【符号の説明】
【００１３】
１              露出型ローゼット
２              ベース
５              ジャック
７、８          端子
９              スイッチ
２０            埋め込み型ローゼット
２１、２５      （ケースを構成する）分割片
２３            ジャック
２４            スイッチ
２６、２７      端子
【図１】
0003113146.tif 000003
【図２】
0003113146.tif 000004
【図３】
0003113146.tif 000005
【図４】
0003113146.tif 000006
【図５】
0003113146.tif 000007
【図６】
0003113146.tif 000008
【図７】
0003113146.tif 000009